(57)【要約】【課題】扉体をゲート躯体から容易に取り外すことができ、ポンプのメンテナンスを容易に行い得るポンプゲートの提供を目的とする。【解決手段】ゲート躯体２と、ポンプ３２が組み込まれた扉体３と、扉体３を駆動する駆動装置４とを備える。ゲート躯体２は、扉体３を昇降自在に案内する一対のガイドを含む主躯体部５と、この主躯体部５の上部に配置され、扉体３を昇降させるための機器が設置される操作台７とを含む。操作台７は、主躯体部５の上部を覆う第１位置と、主躯体部５の上方を開放する第２位置とに亘って変位可能となるように枢軸５４を介して主躯体部５に揺動可能に連結されている。【選択図】図１１
2020159018.tif 000002
【特許請求の範囲】
【請求項１】
ゲート躯体と、このゲート躯体に昇降自在に支持されかつゲート閉鎖状態において流水を強制的に排水可能なポンプが組み込まれた扉体と、前記扉体を駆動する駆動装置とを備えるポンプゲートであって、
前記ゲート躯体は、前記扉体の幅方向両端を昇降自在に案内する一対のガイドを含む主躯体部と、この主躯体部の上部に配置され、前記扉体を昇降させるための機器が設置される操作台とを含み、
前記操作台は、前記主躯体部の上部を覆う第１位置と、前記主躯体部の上方を開放する第２位置とに亘って変位可能となるように前記主躯体部に連結されている、ことを特徴とするポンプゲート。
【請求項２】
請求項１に記載のポンプゲートにおいて、
前記操作台は、前記第１位置と前記第２位置とに亘って揺動可能となるように枢軸を介して前記主躯体部に連結されている、ことを特徴とするポンプゲート。
【請求項３】
請求項２に記載のポンプゲートにおいて、
前記駆動装置は、前記扉体に連結されるロープと、このロープの巻取り及び送り出しを行う装置本体と、前記操作台に設置されるロープ案内用滑車と、を含み、
前記装置本体は、前記操作台以外の場所であって前記ロープ案内用滑車よりも低い位置に設置されている、ことを特徴とするポンプゲート。
【請求項４】
請求項３に記載のポンプゲートにおいて、
前記操作台は、前記扉体から取り外した前記ロープの先端を係止させることが可能なロープ係止部を備えている、ことを特徴とするポンプゲート。
【請求項５】
請求項１乃至４の何れか一項に記載のポンプゲートにおいて、
前記ゲート躯体は、コンクリート製の基礎上にアンカーボルトで固定される金属製のベース躯体部をさらに備え、
前記主躯体部は、金属からなりかつ前記ベース躯体部に接合されている、ことを特徴とするポンプゲート。
【請求項６】
請求項１乃至５の何れか一項に記載のポンプゲートにおいて、
水路の底面に対して前記ゲート躯体の高さを調整することが可能な高さ調整機構を備えている、ことを特徴とするポンプゲート。
【請求項７】
請求項１乃至６の何れか一項に記載のポンプゲートにおいて、
水路の側面に対して水路幅方向における前記ゲート躯体の位置を調整することが可能な幅位置調整機構を備えている、ことを特徴とするポンプゲート。
【発明の詳細な説明】
【技術分野】
【０００１】
本発明は、河川等の水路の本流と支流の分岐点等に設置されるポンプゲートに関する。
【背景技術】
【０００２】
河川等の水路の本流と支流の分岐点等に設置されるポンプゲートは、従来から知られており、例えば特許文献１に開示されている。この特許文献１に開示されたポンプゲートは、左右両柱部材とそれらの両柱部材の上端に渡された上架設部材とを有するコンクリート製の門型（箱型）のゲート躯体と、このゲート躯体の上架設部材の下方側に昇降自在に吊り下げ支持されかつゲート閉鎖状態において流水を強制的に排水可能なポンプが組み込まれた扉体と、前記扉体を駆動する駆動装置とを備えている。そして、扉体が上昇してゲート開放状態にすることで支流側の水を本流側に排水可能にし、また、本流側の水位が支流側よりも上昇した場合に、扉体を下降させてゲート閉鎖状態にすることで本流側の水が支流側に逆流することを防止できるようにしている。また、そのゲート閉鎖状態において、ポンプを作動させることによって、支流側の水を本流側に強制的に排水可能にしている。
【先行技術文献】
【特許文献】
【０００３】
【特許文献１】特開２００５−９７９６４号公報
【発明の概要】
【発明が解決しようとする課題】
【０００４】
ところで、例えば扉体に組み込まれたポンプは、定期的にメンテナンスが行なわれる必要がある。しかしながら、特許文献１に開示されたポンプゲートでは、扉体がゲート躯体の上架設部材の下方側に昇降自在に吊り下げ支持されており、扉体をゲート躯体から取り外すのが困難である。そのため、メンテナンスに際して扉体がゲート躯体の上架設部材に吊り下げ支持された状態、即ち水路上で行なわなければならず、メンテナンスを行い難いという問題点がある。
【０００５】
本発明は、ポンプのメンテナンスをより容易に行い得るポンプゲートを提供することを目的とするものである。
【課題を解決するための手段】
【０００６】
前記課題を解決するために、本発明は、ゲート躯体と、このゲート躯体に昇降自在に支持されかつゲート閉鎖状態において流水を強制的に排水可能なポンプが組み込まれた扉体と、前記扉体を駆動する駆動装置とを備えるポンプゲートであって、前記ゲート躯体は、前記扉体の幅方向両端を昇降自在に案内する一対のガイドを含む主躯体部と、この主躯体部の上部に配置され、前記扉体を昇降させるための機器が設置される操作台とを含み、前記操作台は、前記主躯体部の上部を覆う第１位置と、前記主躯体部の上方を開放する第２位置とに亘って変位可能となるように前記主躯体部に連結されている、ことを特徴とするポンプゲートを提供する。
【０００７】
これによれば、操作台を第１位置から第２位置に変位させることにより主躯体部の上方を開放でき、これにより扉体をゲート躯体から容易に脱着することが可能となる。したがって、扉体に組み込まれたポンプのメンテナンスをゲート躯体から取り外した状態で行うことが可能になり、ポンプのメンテナンスを容易に行い得る。
【０００８】
前記ポンプゲートにおいて、前記操作台は、前記第１位置と前記第２位置とに亘って揺動可能となるように枢軸を介して前記主躯体部に連結されている、構成とできる。
【０００９】
これによれば、操作台を傾けるだけで比較的容易に主躯体部の上方を開放することが可能となる。
【００１０】
前記ポンプゲートにおいて、前記駆動装置は、前記扉体に連結されるロープと、このロープの巻取り及び送り出しを行う装置本体と、前記操作台に設置されるロープ案内用滑車と、を含み、前記装置本体は、前記操作台以外の場所であって前記ロープ案内用滑車よりも低い位置に設置されている、構成とできる。
【００１１】
これによれば、例えば電動モータにより扉体を昇降させるものに比べて、操作台に設置する機器を軽量化できる。そのため、操作台を移動させる際の力がより小さくて済む。また、装置本体が操作台上に無いことで、ポンプゲートの全高を低く抑えることができ、ポンプゲートの高さによって景観を損なうことが抑制される。
【００１２】
前記ポンプゲートにおいて、前記操作台は、前記扉体から取り外した前記ロープの先端を係止させることが可能なロープ係止部を備えている、構成とできる。
【００１３】
これによれば、扉体から取り外したロープの先端をロープ係止部に係止し、当該ロープを装置本体により巻き取ることにより、第１位置から第２位置へ操作台を変位させることができる。つまり、駆動装置を、操作台を移動させるための手段として兼用できる。
【００１４】
前記ポンプゲートにおいて、前記ゲート躯体は、コンクリート製の基礎上にアンカーボルトで固定される金属製のベース躯体部をさらに備え、前記主躯体部は、金属からなりかつ前記ベース躯体部に接合されている、構成とできる。
【００１５】
これによれば、従来のようなコンクリート製の門型（箱型）構造体を施工現場で製作して設置することなく、工場で別途に製作したポンプゲートを施工現場に設置することが可能となる。従って、施工が簡単になる。
【００１６】
前記ポンプゲートにおいて、水路の底面に対して前記ゲート躯体の高さを調整することが可能な高さ調整機構を備えている、構成とできる。
【００１７】
これによれば、ポンプゲート（ゲート躯体）を設置する際の作業性が向上する。
【００１８】
前記ポンプゲートにおいて、水路の側面に対して水路幅方向における前記ゲート躯体の位置を調整することが可能な幅位置調整機構を備えている、構成とできる。
【００１９】
これによれば、ポンプゲート（ゲート躯体）を設置する際の作業性がより一層、向上する。
【発明の効果】
【００２０】
本発明のポンプゲートは、扉体をゲート躯体から容易に取り外すことができ、ポンプのメンテナンスを容易に行い得る。
【図面の簡単な説明】
【００２１】
【図１】本発明の実施形態に係るポンプゲートを、水路に設けられた基礎に設置した状態の平面図である。
【図２】ポンプゲートの側面図である。
【図３】ポンプゲートの正面図（扉体は省略）である。
【図４】ポンプゲートのゲート躯体（主躯体部及び操作台）の正面図である。
【図５】主躯体部及び操作台の側面図である。
【図６】主躯体部の断面図（図４のＶＩ−ＶＩ線断面図）である。
【図７】主躯体部の断面図（図４のＶＩＩ−ＶＩＩ線断面図）である。
【図８】主躯体部の断面図（図４のＶＩＩＩ−ＶＩＩＩ線断面図）である。
【図９】（ａ）は、ゲート躯体のベース躯体部の平面図、（ｂ）は、ベース躯体部の正面図である。
【図１０】ゲート躯体の基礎への取り付け状態を示す要部拡大側面図である。
【図１１】ゲート躯体の操作台を第１位置から第２位置に変位させた状態の側面図である。
【発明を実施するための形態】
【００２２】
以下、本発明を実施するための形態について、図面を参照しながら詳細に説明する。図１は、本発明の実施形態に係るポンプゲートを、水路に設けられた基礎に設置した状態の平面図、図２は、ポンプゲートの側面図、図３は、ポンプゲートの正面図（扉体は省略）である。
【００２３】
ポンプゲート１は、河川等の水路１００の本流１００ａと支流１００ｂの分岐点等に設置されて使用されるものである。この実施形態では、水路１００の本流１００ａから支流１００ｂにかけて、断面コの字状の凹部を有するコンクリート製の基礎１０１が設けられており、この基礎１０１にポンプゲート１が設置されている。
【００２４】
ポンプゲート１は、金属製のゲート躯体２と、ゲート躯体２に支持される扉体３と、扉体３を駆動する駆動装置４とを備えている。
【００２５】
ゲート躯体２は、主躯体部５と、主躯体部５を保持するベース躯体部６と、主躯体部５に配置されて扉体３を昇降させるための後記ロープ案内用滑車（機器）４３等の機器が載置される操作台７とを備えている。
【００２６】
ベース躯体部６は、図９に示すように、主躯体部５を受容するコの字状の受容凹部６１を備えている。このベース躯体部６は、その周囲に、水路１００に形成されたコンクリート製の基礎１０１に対して高さ調整可能に固定状に取り付ける複数の取付部６２を備えている。詳しくは、図１０に示すように、基礎１０１には、取付部６２に対応する位置にアンカーボルト１０１ａが設けられている。そして、ベース躯体部６の各取付部６２が、各アンカーボルト１０１ａに挿通され、ナット１０１ｂを介してベース躯体部６が高さ調整されて基礎１０１に水平に取り付けられている。
【００２７】
主躯体部５は、図４、図５に示すように、扉体３の幅方向両端を昇降自在に案内する左右一対のガイド５１と、各ガイド５１の下端に連結された連結部材５２とを備えている。
【００２８】
各ガイド５１は、この実施形態では、図６に示すようにガイド本体５１１と、ガイド本体５１１を両側から支持する支持部材５１２とを備えている。
【００２９】
ガイド本体５１１は、下部側の主ガイド部５１１１と、主ガイド部５１１１から上方に一体に延びる上部側の副ガイド部５１１２とを備えている。
【００３０】
主ガイド部５１１１は、互いに対向する一対の主ガイド対向壁５１１１ａと、これら一対の対向壁５１１１ａを繋ぐ側壁５１１１ｂとを備えており、これら一対の対向壁５１１１ａと側壁５１１１ｂとによって断面略コの字型を呈している。
【００３１】
副ガイド部５１１２は、図７に示すように、主ガイド部５１１１の各主ガイド対向壁５１１１ａそれぞれに連続して延びて互いに対向する２つの副ガイド対向壁５１１２ａによって構成されており、前記側壁５１１１ｂのような側壁は備えていない。
【００３２】
各支持部材５１２は、図６に示すように断面Ｈ字型の支持柱５１２１と、支持柱５１２１を水路の側面に対して前記ゲート躯体２の位置を水路幅方向に調整可能な幅位置調整機構としての複数の位置決め部材５１２２とを備えている。
【００３３】
支持柱５１２１は、主ガイド対向壁５１１１ａ及び副ガイド対向壁５１１２ａそれぞれの両外側にこれらの上下方向に亘って配設されている。２つの支持柱５１２１は、図５、図７に示すように、副ガイド部５１１２に対応する領域では繋ぎ部材５１２３によって互いに連結されている。これにより、２つの支持柱５１２１の間隔が維持されている。
【００３４】
各位置決め部材５１２２は、いわゆるアジャスターボルトからなり、図６に示すように、支持柱５１２１に固定されたネジ軸５１２２ａと、ネジ軸５１２２ａに螺合されたナット部材５１２２ｂとで構成されている。
【００３５】
連結部材５２は、図８に示すように、断面Ｈ字型の連結部材本体５２１と、高さ調整機構としての複数のジャッキボルト５２２とを備えている。
【００３６】
各ジャッキボルト５２２は、連結部材本体５２１に螺合されてその先端が連結部材本体５２１の下端から下方に突出されているとともに、ジャッキボルト５２２が連結部材本体５２１に対して左又は右方向に回転することにより、連結部材本体５２１の下端からの突出量が変わるようになっている。
【００３７】
このように構成された主躯体部５は、ベース躯体部６の受容凹部６１内に配置され、その状態で、図１０に示すように、主躯体部５のガイド本体５１１の主ガイド部５１１１に設けられた接合部５３がベース躯体部６に接合用ボルト５３１及び接合用ナット５３２を介して固定的に接合される。したがって、この状態で、主躯体部５の副ガイド部５１１２はベース躯体部６から上方側に突出している。
【００３８】
また、この接合部５３がベース躯体部６に接合される際に、図８に示すように、主躯体部５のジャッキボルト５２２の先端が基礎１０１の底面１０２に形成された底凹部１０２ａの凹部底面１０２ｂに当たるようにジャッキボルト５２２が回動操作されて、主躯体部５が基礎１０１の底面１０２に対して高さ位置調整される。これにより、ゲート躯体２の所定位置への設置作業を容易に行い得る。
【００３９】
また、上記接合に際し、図６に示すように、主躯体部５の位置決め部材５１２２のナット部材５１２２ｂが基礎１０１の側面１０３に形成された側凹部１０３ａの凹部内対向側面１０３ｂに当たるようにナット部材５１２２ｂが回動操作されて、主躯体部５の両端が凹部内対向側面１０３ｂ内において突っ張り固定される。これにより、基礎１０１（水路）の側面１０３に対して水路幅方向におけるゲート躯体２の位置を調整することができるとともに、水路の長手方向（水路方向）に直交する水流直交面に対する主躯体部５の傾きを調整することも可能になり、ゲート躯体２の所定位置への設置作業を容易にかつ正確に行い得るようになっている。
【００４０】
操作台７は、図４、図５に示すように、主躯体部５の外幅Ｌ１と略同じ幅Ｌ２を有する略板状のものから構成されている。そして、この操作台７は、幅方向と直交する方向の一端側となる後端部側（図５の右端部側）が、主躯体部５の上部に設けられた枢軸５４に揺動可能に連結されている。これにより、操作台７が、その前端部側が主躯体部５の上端に載置されて主躯体部５の上部を覆う第１位置（図２、図４、図５に示す位置）と、主躯体部５の上方を開放する第２位置（図１１に示す位置）とに亘って揺動可能となっているとともに、その自重で第１位置に保持されるようになっている。
【００４１】
また、操作台７は、幅方向の中央部における前端部に、後記駆動装置４のロープ４１を通すロープ挿通用凹部７１を備えているとともに、ロープ挿通用凹部７１近傍に、ロープ４１の先端を係止させることが可能なロープ係止部７２（図１１参照）を備えている。ロープ係止部７２は、操作台７の下面に設けられている。
【００４２】
扉体３は、図１、図２に示すように、矩形板状の扉本体３１と、扉本体３１に取り付けられたポンプ３２とを備えている。
【００４３】
扉本体３１は、幅方向の両端部にそれぞれ、主躯体部５のガイド５１それぞれの主ガイド対向壁５１１１ａ及び副ガイド対向壁５１１２ａに当接して転動、当該ガイド本体５１１に沿って案内されるローラ３１１（図２、図１１参照）を備えている。
【００４４】
ポンプ３２は、扉本体３１に設けられた図示しない通水用貫通孔を介して支流１００ｂ側から本流１００ａ側に水を送る。また、ポンプ３２は、本流１００ａ側から支流１００ｂ側への水の逆流を防止するための逆止弁３２１を備えている。
【００４５】
また、ポンプ３２の上部に、後述の駆動装置４のロープ４１の先端を係脱自在に係止するポンプ用ロープ係止部３２２が設けられている。
【００４６】
駆動装置４は、扉体３に連結されるロープ４１と、このロープ４１の巻取り及び送り出しを行う装置本体４２と、操作台７に設置され、扉体３を昇降させるための機器であるロープ案内用滑車４３とを備えている。
【００４７】
装置本体４２は、操作台７以外の場所であってロープ案内用滑車４３よりも低い位置に設置されている。実施形態では、装置本体４２は、ベース躯体部６上に設置されている。
【００４８】
ロープ案内用滑車４３は、操作台７上の前側に設置された第１滑車４３１と、操作台７上の後側に設置された第２滑車４３２との２つからなる。ロープ４１は、装置本体４２から第２滑車４３２に、第２滑車４３２から第１滑車４３１に順に掛け渡され、更に、第１滑車４３１から下方に案内されてポンプ３２のポンプ用ロープ係止部３２２に係止されている。これにより、ロープ４１の先端は、ポンプ３２を介して扉体３に連結されている。
【００４９】
次に、本実施形態のポンプゲート１の動作について説明する。支流１００ｂの水位が本流１００ａの水位よりも高い場合は、扉体３を主躯体部５の副ガイド部５１１２の位置に配置して、ポンプゲート１をゲート開放状態にする（図２中の破線で示す状態）。
【００５０】
すなわち、図２の実線に示す状態から装置本体４２を作動させてロープ４１を巻き取る。この巻き取りにより、扉体３が上昇して主躯体部５の主ガイド部５１１１から副ガイド部５１１２に入り込み、当該副ガイド部５１１２の位置に扉体３が吊り下げられた、ポンプゲート１のゲート開放状態となる。このゲート開放状態で、支流１００ｂの水が本流１００ａに自然に流れる。
【００５１】
その際、副ガイド部５１１２には上記の通り側壁が無いため（図７参照）、ガイド５１の側方からから扉体３のローラ３１１を目視でき、これによりローラ３１１を点検することが可能となる。
【００５２】
一方、例えば洪水時等のように本流１００ａの水位が支流１００ｂの水位よりも上昇し本流１００ａの水が支流１００ｂに逆流するおそれがある場合は、扉体３を下降させて、ポンプゲート１をゲート閉鎖状態にする（図２中の実線で示す状態）。これにより、本流１００ａから支流１００ｂへの逆流を防止することができる。
【００５３】
詳しくは、装置本体４２を操作してロープ４１を送り出す。この送り出しにより、扉体３が自重で主躯体部５の副ガイド部５１１２から主ガイド部５１１１に入り込み、扉体３が連結部材５２の位置まで降下した、ポンプゲート１のゲート閉鎖状態となる。
【００５４】
なお、このゲート閉鎖状態において、ポンプ３２を作動させれば、逆止弁３２１が開いて支流１００ｂ側の水を本流１００ａ側に強制的に送り出すことができる。
【００５５】
ポンプ３２を含む扉体３の整備、維持、保守、点検、手入れ等のメンテナンスを行う場合は、次のような手順で行うことができる。
【００５６】
まず、図１１に示すように、ロープ４１の先端をポンプ用ロープ係止部３２２から外し、操作台７のロープ係止部７２に係止する。そして、装置本体４２を作動させてロープ４１を巻き取る。このようにロープ４１を巻き取ると、操作台７が枢軸５４を支点として揺動し、操作台７が、主躯体部５の上部を覆った第１位置（図２参照）から主躯体部５の上方を開放した、図１１に示す第２位置に変位する。これにより、主躯体部５の上方が開放され、扉体３を主躯体部５から取り出し可能状態となる。
【００５７】
この状態で、駆動装置４のロープ４１とは別の扉引き上げ用ロープ、例えばクレーンのロープ（扉引き上げ用ロープ１０４という）の先端をポンプ用ロープ係止部３２２に係止し、扉引き上げ用ロープ１０４を介して扉体３を引き上げる。これにより、扉体３をゲート躯体２から取り出すことができる。したがって、ポンプ３２を含む扉体３のメンテナンスを陸上の開放された場所で行うことができ、従来のように水路内でメンテナンスを行う場合に比べてメンテナンスを容易に行うことができる。
【００５８】
なお、ポンプ３２を含む扉体３をメンテナンス後にゲート躯体２に戻す（装着する）には、上記の手順とは逆の手順に従って行うことができる。
【００５９】
つまり、主躯体部５の上方を開放した状態で、扉引き上げ用ロープ１０４によって扉体３をゲート躯体２の上方に移動させ、扉体３を下げてゲート躯体２に装着する。そして、装置本体４２を作動させてロープ４１を送り出し、操作台７をその自重で揺動させて当該操作台７の前部が主躯体部５の上端に載置された位置、すなわち第１位置に配置する。その後、扉引き上げ用ロープ１０４の先端をポンプ用ロープ係止部３２２から外すとともに、ロープ４１の先端を操作台７のロープ係止部７２から取り外してポンプ用ロープ係止部３２２に係止する。
【００６０】
以上説明したように、上記実施形態のポンプゲート１は、操作台７を第１位置から第２位置に変位させることにより主躯体部５の上方を開放でき、これにより、扉体３をゲート躯体２に対して容易に脱着することが可能となる。したがって、扉体３に組み込まれたポンプ３２のメンテナンスを、当該ポンプ３２を扉体３と共にゲート躯体２から取り外した状態で行うことが可能になり、ポンプ３２のメンテナンスを陸上の開放された場所で行うことができる。したがって、メンテナンス性が良いという利点がある。
【００６１】
その際、ポンプゲート１の操作台７は、第１位置と第２位置とに亘って揺動可能となるように枢軸５４を介して主躯体部５に連結されているため、操作台７を傾けるだけで比較的容易に主躯体部５の上方を開放して扉体３の脱着を行うことができる。
【００６２】
また、ポンプゲート１における駆動装置４の装置本体４２は、ロープ案内用滑車４３よりも低い位置に設置されているため、例えば油圧モータでねじ軸を回転させることにより扉体を昇降させるものに比べて、操作台７に設置する機器を軽量化でき、操作台７を移動させる際の力がより小さくて済む。しかも、装置本体４２が操作台７上に無いことで、ポンプゲート１の全高を低く抑えることができ、ポンプゲート１の高さによって景観を損なうことが抑制される。
【００６３】
また、ポンプゲート１の操作台７は、扉体３から取り外したロープ４１の先端を係止させることが可能なロープ係止部７２を備えているため、扉体３から取り外したロープ４１の先端をロープ係止部７２に係止し、当該ロープ４１を装置本体４２により巻き取ることにより、第１位置から第２位置へ操作台７を難なく変位させることができる。従って、上記ポンプゲート１によれば、駆動装置４を、操作台７を移動させるための手段として兼用した合理的な構成が達成される。
【００６４】
また、ポンプゲート１におけるゲート躯体２は、コンクリート製の基礎上にアンカーボルトで固定される金属製のベース躯体部６と、金属からなりかつこのベース躯体部６に接合される主躯体部５とで構成されるため、従来のようなコンクリート製の門型（箱型）構造体を施工現場で製作する必要がなく、工場で別途に製作したゲート躯体２等を施工現場に持ち込むことでポンプゲート１を容易に設置することが可能となる。従って、施工が簡単で、また施工期間を短縮することも可能になる。
【００６５】
また、ポンプゲート１は、水路１００の底面に対してゲート躯体２の高さを調整することが可能な高さ調整機構や、水路１００に対してゲート躯体２の位置を幅方向に調整することが可能な幅位置調整機構を備えているため、ポンプゲート１（ゲート躯体２）を設置する際の作業性もよい。
【００６６】
なお、上記実施形態では、操作台７は、枢軸５４を介して主躯体部５に揺動可能に連結されているが、この形態のものに限らず、適宜変更できる。例えば操作台７は主躯体部５に、主躯体部５の上部を覆う位置から主躯体部５の上方を開放する位置まで前後方向又は左右方向に移動（スライド）可能に主躯体部５に連結されてもよい。
【００６７】
また、上記実施形態では、ポンプ３２にロープ４１の先端を係脱自在に係止するポンプ用ロープ係止部３２２が形成されているが、例えば扉本体３１にロープ４１の先端を係脱自在に係止するロープ係止部が形成されていてもよく、適宜変更できる。また、扉本体３１及びポンプ３２の両方にそれぞれに、ロープ係止部を形成しておき、通常はロープ４１の先端を何れか一方に係止してゲート開閉を行い、扉体３をゲート躯体２から外す場合に、それぞれのロープ係止部に扉引き上げ用ロープ１０４を係止して扉本体３１とポンプ３２の双方を引き上げるようにしてもよい。この構成によれば、扉体３をゲート躯体２に対して脱着する際に、ポンプ３２を含む扉体３をより安定的に吊り上げることができる。
【符号の説明】
【００６８】
１  ポンプゲート
２  ゲート躯体
３  扉体
４  駆動装置
５  主躯体部
６  ベース躯体部
７  操作台
３２  ポンプ
４１  ロープ
４３  ロープ案内用滑車
５１  ガイド
５４  枢軸
１００  水路
１００ａ  本流
１００ｂ  支流
１０１    基礎
【図１】
2020159018.tif 000003
【図２】
2020159018.tif 000004
【図３】
2020159018.tif 000005
【図４】
2020159018.tif 000006
【図５】
2020159018.tif 000007
【図６】
2020159018.tif 000008
【図７】
2020159018.tif 000009
【図８】
2020159018.tif 000010
【図９】
2020159018.tif 000011
【図１０】
2020159018.tif 000012
【図１１】
2020159018.tif 000013